(57)【特許請求の範囲】
【請求項１】
扱室下方から機体後方の排塵選別室にわたり形成された選別風路に揺動選別体を架設し、該揺動選別体の下方に、１番樋とその後方に２番樋を設け、該２番樋とその終端側に連結された２番還元筒を介して未選別の穀粒を前記揺動選別体上に揚上移送し、再選別を可能とする脱穀機において、
前記２番還元筒を前記扱室の後方に立設すると共に、該扱室の後側を区画する後側板を設け、
該後側板の前記２番還元筒側の下部を切欠いて形成された開口部を設け、
該開口部により前記２番還元筒の吐出口から前記揺動選別体の始端側に向け未選別の穀粒を投擲放出可能とした、
ことを特徴とする脱穀機における２番還元装置。
【請求項２】
前記吐出口を２番還元筒の上端部に形成すると共に、該吐出口を前記扱室の後側に開口した、
ことを特徴とする請求項１記載の脱穀機における２番還元装置。
【発明の詳細な説明】
【０００１】
【発明の属する技術分野】
本発明は、脱穀機に関し、詳しくは２番還元筒の吐出口から揺動選別体の始端側に向けて未選別の穀粒を放出可能とした脱穀機における２番還元装置に関する。
【０００２】
【従来の技術】
コンバイン等に搭載された脱穀機は、例えば扱胴と処理胴を備えており、これら扱胴及び処理胴は、穀稈の送給方向に沿った回転軸の回りに回転自在に支持されていて、これら扱胴及び処理胴の外周面から所定の距離離れた略々下方には、受網が夫々配設されている。これらの受網の下方には揺動流穀板が設けられていて、前記処理胴の下方ないし下流側には、ストローラック及びクリンプ網等が配設されている。
【０００３】
前記クリンプ網の下方には１番樋が横設され、該１番樋の移送方向の終端側には揚穀筒が連係されていて、これら１番樋及び揚穀筒はクリンプ網等から漏下してきた穀粒をグレンタンクへ揚上搬送する。また、前記１番樋の後方には、該１番樋と略々平行に２番樋が横設されていて、この２番樋の移送方向の終端側には、未選別の穀粒を前記揺動流穀板上に放出する２番還元筒が連係されている。
【０００４】
【発明が解決しようとする課題】
ところで、従来、比較的中型の脱穀機にあっては、前記２番還元筒が機体前方に傾斜されて前記揚穀筒と交差するように配置されることで、扱室幅内に２番還元筒の吐出口が臨み、これにより、未選別の穀粒を前記揺動流穀板の始端側に放出して十分な選別作用が得られるようになっていた。しかし、２番還元筒と揚穀筒とを交差配置すると、脱穀部全体の幅（横幅）が広くなるため、小型の脱穀機には採用することができなかった。
【０００５】
本発明は、斯かる課題を解決するためになされたもので、その目的とするところは、扱室後方に立設した２番還元筒の吐出口から、揺動選別体の始端側に向け未選別の穀粒を投擲放出可能な脱穀機における２番還元装置を提供することにある。
【０００６】
【課題を解決するための手段】
上記目的を達成するため、請求項１に記載の発明は、扱室（３６）下方から機体後方の排塵選別室（３８）にわたり形成された選別風路（４７）に揺動選別体（４０）を架設し、該揺動選別体の下方に、１番樋（２４）とその後方に２番樋（２８）を設け、該２番樋（２８）とその終端側に連結された２番還元筒（３０）を介して未選別の穀粒を前記揺動選別体（４０）上に揚上移送し、再選別を可能とする脱穀機（Ｃ）において、
前記２番還元筒（３０）を前記扱室（３６）の後方に立設すると共に、該扱室の後側を区画する後側板（６０）を設け、
該後側板（６０）の前記２番還元筒（３０）側の下部を切欠いて形成された開口部（６０）を設け、
該開口部（６０）により前記２番還元筒（３０）の吐出口（３０ａ）から前記揺動選別体（４０）の始端側に向け未選別の穀粒を投擲放出可能とした、
ことを特徴とする脱穀機における２番還元装置にある。
【０００７】
請求項２に記載の発明は、前記吐出口（３０ａ）を２番還元筒（３０）の上端部に形成すると共に、該吐出口（３０ａ）を前記扱室（３６）の後側に開口した、ことを特徴とする。
【０００８】
［作用］
以上の発明特定事項に基づき、本発明が適用される脱穀機（Ｃ）は、扱室（３６）の下方から機体後方の排塵選別室（３８）にわたり選別風路（４７）が形成されていて、この選別風路（４７）に揺動選別体（４０）が架設され、更にこの揺動選別体（４０）の下方に設けられた２番樋（２８）と２番還元筒（３０）を介して、未選別の穀粒が前記揺動選別体（４０）上に揚上移送されて再選別が行われる。本発明においては、前記２番還元筒（３０）を扱室（３６）の後方に立設すると共に、扱室後側板（６０）の２番還元筒（３０）側に形成した開口部（６０ａ）により、２番還元筒（３０）の上端部に形成された吐出口（３０ａ）から、揺動選別体（４０）の始端側に向けて未選別の穀粒が投擲放出されるようにしたので、未選別の穀粒が揺動作用を受け易くなって選別性能の向上が図られる。
【０００９】
なお、上述した括弧内の符号は、図面を対照するためのものであって、本発明を何ら限定するものではない。
【００１０】
【発明の実施の形態】
以下、図面に基づき本発明の実施の形態を説明する。
【００１１】
図１及び図２は、自脱コンバインに搭載された脱穀機の構造を示しており、この脱穀機Ｃは、扱胴１０と処理胴１２を備えていて、これら扱胴１０及び処理胴１２にはプーリ５６とギヤケース５８を介してチエーン又はベルト５７により動力が伝達され、穀稈の送給方向に沿った回転軸１３の回りに回転自在とされている（図２参照）。これら扱胴１０及び処理胴１２は、外周面に夫々扱歯１０ａ，１２ａを有しており、この外周面から所定の距離離れた位置に扱胴１０及び処理胴１２の略々下方を覆うように、受網１４，１６が夫々配設されている。
【００１２】
前記扱胴１０は扱室３６に回転自在に収容され、該扱室３６の上方は開閉可能なシリンダカバー４３により覆われていて、扱室３６の前後部は入口側板３１と扱室後側板６０とで区画されている。この扱室３６の左右一側近傍には、扱胴１０の回転軸１３に沿ってフィードチェン３２が設けられ、このフィードチェン３２の終端側は排ワラチェン３３に引き継がれている。このフィードチェン３２によって扱室３６内に穀稈が供給されると、該穀稈は扱胴１０の扱歯１０ａによって脱穀される。
【００１３】
次いで、図３及び図４に示すように、前記扱室３６の下方から機体後方の排塵選別室３８にわたり、選別風路４７が形成されていて、この選別風路４７に揺動選別体４０が架設されている。この揺動選別体４０は、揺動流板１８とスイングシーブ１９とクリンプ網２２を有し、スイングシーブ１９は、多数のフィンが略々平行に設けられて構成され、フィンの開度は開閉制御可能とされている。これら揺動流板１８、スイングシーブ１９とクリンプ網２２は、図示しない駆動源により揺動可能にされている。
【００１４】
また、揺動流板１８の下方には、唐箕ファン４６が配置されており、またスイングシーブ１９の後部上方には、吸引ファン４１が配置されている。これらの唐箕ファン４６と吸引ファン４１は、穀粒よりも軽い不要物を機体外へ排出すべく、唐箕ファン４６から吸引ファン４１の方向への風を起こしていて、この風により前述した選別風路４７が形成されている。
【００１５】
前記クリンプ網２２の下方には、１番樋２４が横設されていて、クリンプ網２２から漏下された穀粒は１番樋２４とその移送方向の終端側に連結された揚穀筒２６により穀粒タンク又はホッパ４５（図４参照）に揚上移送される。前記１番樋２４と揚穀筒２６には、夫々回転駆動されるラセン状の羽根を持つ１番ラセン２４ａと揚穀ラセン（図示せず）が収容されていて、そのラセン状の羽根により穀粒が移送される。
【００１６】
また、前記１番樋２４の後方には、該１番樋２４と略々平行に２番樋２８が横設されていて、スイングシーブ１９とクリンプ網２２で漏下されなかった未選別の穀粒は、２番樋２８とその移送方向の終端側に連結された２番還元筒３０により、その吐出口３０ａから揺動選別体４０上に揚上移送される。前記２番樋２８と２番還元筒３０には、回転駆動されるラセン状の羽根を持つ２番ラセン２８ａと２番還元ラセン（図示せず）が収容されていて、そのラセン状の羽根により穀粒が移送される。
【００１７】
本発明では、２番還元筒３０を扱室３６の後方に立設すると共に、扱室後側板の２番還元筒３０側に開口部を設け、該開口部により２番還元筒３０の吐出口３０ａから揺動選別体４０の始端側に向け未選別の穀粒を投擲放出可能としたものである。
【００１８】
すなわち、図１〜図３に示すように、前記２番還元筒３０は扱室３６の後方の機体側方に近接して立設されていると共に、この扱室３６の後部を区画している扱室後側板６０の下部で、かつ２番還元筒３０に近接する側には、図２に示すように、台形状に切欠かれた開口部６０ａが形成されている。この開口部６０ａが穀粒の放出経路を形成し、これにより、図１の矢印Ａに示すように、２番還元筒３０の吐出口３０ａから未選別の穀粒が揺動選別体４０の始端側に向け、放出経路が遮断されることなく投擲放出される。こうして、未選別の穀粒は揺動選別体４０の始端側に放出されて揺動作用を受け易くなり、選別性能の向上が図られる。また、矢印Ａのように形成された穀粒の放出経路により、２番還元筒３０を傾斜配置することなく略々垂直に立設した状態で、未選別の穀粒を揺動選別体４０の始端側に放出することが可能となる。
【００１９】
また、本実施の形態において、前記吐出口３０ａは、２番還元筒３０の上端部に形成されており、しかもこの吐出口３０ａは扱室３６の下側近傍位置に臨むように開口されている。このように、吐出口３０ａが扱室３６の外側に設けられているため、穀粒を揚上移送する揚穀筒２６と、未選別の穀粒を還元移送する２番還元筒３０とを交差させる必要もなく、よって機体横幅を可及的に狭くコンパクトに設計することが可能となる。
【００２０】
次に、作用について簡単に説明する。
【００２１】
揺動選別体４０のクリンプ網２２を漏下した穀粒は、その下方の１番樋２４に落下し、該１番樋２４に内装された１番ラセン２４ａにより、その移送方向の終端側（機体左右一側）に立設された揚穀筒２６により穀粒タンクやホッパ４５に揚上移送される。また、前記１番樋２４の後方でかつ１番樋２４と略々平行に横設された２番樋２８には、未選別の穀粒が落下して、該２番樋２８に内装された２番ラセン２８ａにより、その移送方向の終端側（機体左右一側）に立設された２番還元筒３０により揺動選別体４０に揚上帰還されて再選別される。この２番還元筒３０は扱室３６の後方に立設されていて、その上端部の吐出口３０ａから、扱室後側板６０に形成された開口部６０ａを介して揺動選別体４０の始端側に向け、未選別の穀粒が放出される。これにより、未選別の穀粒は揺動作用を受け易くなって選別性能の向上が図られる。そして、前記２番還元筒３０の吐出口３０ａは、扱室３６の下側近傍位置に開口されていて、しかも扱室３６の外側に設けられるため、揚穀筒２６と２番還元筒３０とが交差することもなく、よって機体横幅を狭くかつコンパクトにすることができる。
【００２２】
【発明の効果】
以上説明した通り、請求項１記載の発明によれば、２番還元筒を扱室の後方に立設すると共に、扱室後側板の２番還元筒側に開口部を設け、この開口部により２番還元筒の吐出口から揺動選別体のより始端側に向けて未選別の穀粒を投擲放出可能としたことで、未選別の穀粒は揺動選別体の始端側に放出されることとなり、揺動作用を受け易くなって選別性能の向上を図ることができる。
【００２３】
請求項２記載の発明によれば、２番還元筒の吐出口を該２番還元筒の上端部に形成すると共に、この吐出口を扱室の後側に開口したことで、前記吐出口は扱室外に設けられるため、穀粒を揚上移送する１番筒（揚穀筒）と２番還元筒とを交差させる必要もなく、よって機体横幅を可及的に狭くかつコンパクトに設計することができる
【図面の簡単な説明】
【図１】本発明が適用された脱穀機の断平面図である。
【図２】同上の断背面図である。
【図３】脱穀機の断側面図である。
【図４】脱穀機の側面図である。
【符号の説明】
Ｃ      脱穀機
１０    扱胴
１３    回転軸
２４    １番樋
２４ａ  １番ラセン
２６    揚穀筒
２８    ２番樋
２８ａ  ２番ラセン
３０    ２番還元筒
３０ａ  吐出口
３６    扱室
３８    排塵選別室
４０    揺動選別体
４５    ホッパ
４７    選別風路
６０    扱室後側板
６０ａ  開口部
【図１】
0003704254.tif 000002
【図２】
0003704254.tif 000003
【図３】
0003704254.tif 000004
【図４】
0003704254.tif 000005